(57)【特許請求の範囲】
【請求項１】
多数枚の袋体が切込破線により連結されることで一連に連続した帯状連続袋体が形成され、この帯状連続袋体がロール状に巻き取られているロール状連続袋体であって、
前記帯状連続袋体の端末部が巻込紙片を介して本体ロール部に巻き止められ、
前記巻込紙片は、端末部と本体ロール部の間に挟み込まれる挟持部と、この挟持部から延出して本体ロール部に少なくとも１周以上巻き付けられる巻付部とを備え、
前記巻付部の巻端部を巻付部の外面に接着させることで、前記巻込紙片を介して帯状連続袋体の端末部を本体ロール部に巻き止めるように形成させ、
前記巻込紙片の挟持部に、この挟持部の面積を減少させるための切除部が形成されていることを特徴とするロール状連続袋体。
【請求項２】
前記切除部が、挟持部において巻込紙片を切欠することで形成されている請求項１記載のロール状連続袋体。
【請求項３】
前記切除部が、挟持部において巻込紙片に穴を明けることで形成されている請求項１又は２記載のロール状連続袋体。
【発明の詳細な説明】
【技術分野】
【０００１】
本発明は、ゴミ袋や買物袋（レジ袋）等、多数枚の袋体を一連に連続させた帯状連続袋体を有し、この帯状連続袋体をロール状に巻き取ったロール状連続袋体であって、特に、このロール状連続袋体の簡易包装技術に関する。
【背景技術】
【０００２】
ロール状連続袋体は、多数枚の袋体を一連に連続させた帯状連続袋体をロール状に巻き取ったので、従来、その簡易包装技術として、帯状連続袋体の端末部を粘着ラベルによって本体ロール部に止め付けるようにしたものが知られている（特許文献１参照）。
【０００３】
上記の従来技術では、ロール状連続袋体を専用の包装袋で包装する従前のものに比べ、包装資材を使用することなしに包装状態にまとめることができるため、資源の節約やコストの低減、ゴミの減少という利点がある。
【０００４】
しかしながら、このように粘着ラベルによって端末部を本体ロール部に止め付ける場合には、粘着ラベルを帯状連続袋体に直接に貼り付ける必要がある。
従って、使用に伴ない粘着ラベルを剥ぎ取る際に、その粘着力によって帯状連続袋体が破れたり、汚損したりするという問題があった。
又、端末部と本体ロール部に跨るように粘着ラベルを上から貼り付けるだけであるため、端末部の止め付けが不安定になり易く、帯状連続袋体の巻き状態が乱れ易いという問題もあった。
又、粘着ラベルは合成粘着糊を使用しているから、焼却時に余分な二酸化炭素が発生し、又、合成粘着糊の分だけ処理量が増加して環境に負荷がかかるという問題があった。又、粘着ラベルは粘着糊を使用しているので、リサイクルしづらいという問題もあった。
【０００５】
そこで従来、図１０及び図２に示すように、帯状連続袋体１の端末部１ａを巻込紙片２を介して本体ロール部１ｂに巻き止めるようにした簡易包装技術が知られている。
この場合、巻込紙片２は紙片を長方形状に形成しただけのものであって、端末部１ａと本体ロール部１ｂの間に挟み込まれる挟持部２ａ（図中、平行斜線で示す）と、この挟持部２ａから延出して本体ロール部１ｂに少なくとも１周以上巻き付けられる巻付部２ｂとを備え、そして、巻付部２ｂの巻端部を巻付部２ｂの外面に接着２ｃさせることで、前記巻込紙片２を介して帯状連続袋体１の端末部１ａを本体ロール部１ｂに巻き止めるように形成されている。
【０００６】
このような巻込紙片を用いた場合、巻付部の巻端部を巻付部の外面に接着させることから、帯状連続袋体に対して直接に接着させることがない。
したがって、接着を剥がす際に、その接着力によって帯状連続袋体が破れたり、汚損したりすることがない。
【０００７】
また、挟持部を端末部と本体ロール部の間に挟み込ませた上で、巻付部を本体ロール部に巻き付けるため、巻込紙片のズレ動きを抑えることができ、巻込紙片から帯状連続袋体がズレたり、抜け落ちたりすることがなく、巻込紙片による巻き止めが安定し、帯状連続袋体の巻き状態に乱れが生じ難くなる。
【０００８】
ただ、このような巻込紙片は、ごみとして廃棄されるもので、ごみ減量の観点からできるだけその面積を減少させるのが好ましい。
このとき、巻込紙片の巻き止め機能を損なうことがないようにする必要がある。
【特許文献１】特開２００１−２０８２号公報
【発明の開示】
【発明が解決しようとする課題】
【０００９】
本発明は、巻込紙片を用いた簡易包装技術を用い、巻込紙片の巻き止め機能を損なうことなく、この巻込紙片の面積を減少させ、ごみ減量を図ることができるようにしたロール状連続袋体を提供することを課題としている。
【課題を解決するための手段】
【００１０】
上記の課題を解決するため、本発明（請求項１）のロール状連続袋体は、
多数枚の袋体が切込破線により連結されることで一連に連続した帯状連続袋体が形成され、この帯状連続袋体がロール状に巻き取られているロール状連続袋体であって、
前記帯状連続袋体の端末部が巻込紙片を介して本体ロール部に巻き止められ、
前記巻込紙片は、端末部と本体ロール部の間に挟み込まれる挟持部と、この挟持部から延出して本体ロール部に少なくとも１周以上巻き付けられる巻付部とを備え、
前記巻付部の巻端部を巻付部の外面に接着させることで、前記巻込紙片を介して帯状連続袋体の端末部を本体ロール部に巻き止めるように形成させ、
前記巻込紙片の挟持部に、この挟持部の面積を減少させるための切除部が形成されている構成とした。
【００１１】
前記請求項１記載のロール状連続袋体において、前記切除部が、挟持部において巻込紙片を切欠することで形成されている態様（請求項２）がある。
【００１２】
前記請求項１又は２記載のロール状連続袋体において、前記切除部が、挟持部において巻込紙片に穴を明けることで形成されている態様（請求項３）がある。
【発明を実施するための最良の形態】
【００１３】
図１は本発明のロール状連続袋体の実施例であって、端末部を展開した状態の斜視図、図２はこのロール状連続袋体を巻込紙片により巻き止めした状態の側面説明図である。
【００１４】
図１において、１は帯状連続袋体で、多数枚の袋体１０が切込破線１１により一連に連結されて帯状に連続したもので、筒状プラスチックフイルムに、全幅に亘って切込破線１１を一定間隔で形成すると共に、この切込破線１１に近接して袋底溶着部１２を形成したものとなっている。
そして、この帯状連続袋体１をロール状に巻き取ることでロール状連続袋体Ａが形成されるもので、この実施の形態では、袋体１０の開口側が巻き端になるように巻き取っている。
なお、ロール状連続袋体Ａをコンパクトにするために、帯状連続袋体１の両側部分を内側に折り畳んでロール状に巻き取るようにしている。
【００１５】
そして、このロール状連続袋体Ａにおいて、帯状連続袋体１の端末部１ａが巻込紙片２を介して本体ロール部１ｂに巻き止められている。
【００１６】
前記巻込紙片２は、端末部１ａと本体ロール部１ｂの間に挟み込まれる挟持部２ａ（図中、平行斜線で示す）と、この挟持部２ａから延出して本体ロール部１ｂに少なくとも１周以上巻き付けられる巻付部２ｂとを備えている。
そして、前記巻付部２ｂの巻端部を巻付部２ｂの外面に接着２ｃさせることで、前記巻込紙片２を介して帯状連続袋体１の端末部１ａを本体ロール部に巻き止めるようになっている。
【００１７】
このように、巻付部２ｂの巻端部を巻付部２ｂの外面に接着させることから、帯状連続袋体１に対して直接に接着させることがなく、したがって、接着を剥がす際に、その接着力によって帯状連続袋体１が破れたり、汚損したりすることがない。
また、挟持部２ａを端末部１ａと本体ロール部１ｂの間に挟み込ませた上で、巻付部２ｂを本体ロール部１ｂに巻き付けるため、巻込紙片２のズレ動きを抑えることができ、巻込紙片２から帯状連続袋体１がズレたり、抜け落ちたりすることがなく、巻込紙片２による巻き止めを安定させることができる。
【００１８】
前記巻込紙片２の基本形状は、図１０の従来例に示すように長方形状であって、帯状連続袋体１の幅よりも狭い幅で挟持部２ａから巻付部２ｂまで一定の幅に形成され、挟持部２ａの長さは端末部１ａと本体ロール部１ｂの間に挟み込ませるに十分な長さに形成され、巻付部２ｂの長さは本体ロール部１ｂの円周よりも長く形成されている。
【００１９】
そして、前記巻込紙片２には、その挟持部２ａに、この挟持部２ａの面積を減少させるための切除部２０（図中、仮想線で示す）が形成されている。
この場合、切除部２０を、図１及び図３及び図４及び図５に示すように、巻込紙片２を切欠することで形成させることができるし、図７及び図８に示すように巻込紙片２に穴を明けることでも形成させることができるし、図９に示すように切欠と穴明けの両者を組み合わせることで形成させることができる。
【００２０】
図１の切除部２０は、挟持部２ａにおいて巻込紙片２の先端縁を山形に切欠することにより形成させたものである。
図３の切除部２０は、挟持部２ａにおいて巻込紙片２の先端縁を斜めに切欠することにより形成させたものである。
図４の切除部２０は、挟持部２ａにおいて巻込紙片２の両側縁を一定の幅で切欠することにより形成させたものである。
図５の切除部２０は、挟持部２ａにおいて巻込紙片２の中央部を一定の幅で切欠することにより形成させたものである。
なお、図６で示すように、１枚の短冊状原料紙片２９の中央部をクランク形状の切断線２９ａに沿って切断することで、図４で示した巻込紙片２と、図５で示した巻込紙片２とを、２枚同時に製造することができ、製造能率及び短冊状原料紙片２９の歩留まりを向上させることができる。
図７の切除部２０は、挟持部２ａにおいて巻込紙片２に多数の小穴を明けることにより形成させたものである。
図８の切除部２０は、挟持部２ａにおいて巻込紙片２に長穴を明けることにより形成させたものである。
図９の切除部２０は、図３と図７を組み合わせたもので、挟持部２ａにおいて巻込紙片２の先端縁を斜めに切欠すると共に、多数の小穴を明けることにより形成させたものである。
なお、前記穴の形状は、丸形、楕円、角形等を問わない。
【００２１】
このように、前記切除部２０は巻込紙片２の挟持部２ａに、巻込紙片２の面積を減少させるために形成させたもので、この切除部２０を形成させたことによって、形状を長方形状と仮定した基本形状に比べ、その切除部２０の面積分だけ巻込紙片２の全体としての面積を減少させることができ、この使用後の巻込紙片２をごみとして廃棄するにあたり、ごみ減量を図ることができる。なお、使用後の巻込紙片２を再生紙原料とし、これを加工して再生紙を製造することができるのは勿論である。
【００２２】
又、挟持部２ａは、端末部１ａと本体ロール部１ｂの間に挟み込まれるので、この挟持部２ａには外力が加わり難く、前記切除部２０を形成させたことに伴ない挟持部２ａの強度が低下したとしても、この挟持部２ａの作用を損なうことがなく、これにより巻込紙片２による巻き止めを安定させることができる。
【００２３】
以上、本発明の実施例を図面により説明したが、具体的な構成はこれに限られるものではない。
例えば、帯状連続袋体を構成する袋体は、ゴミ袋、買い物用袋（レジ袋）、水きり袋、その他の収納用袋等、その用途に制限はないし、又、両側縁に折込形成するガゼットの有無や形状、サイズ、それに材質についても、ポリエチレン樹脂やポリプロピレン樹脂等のプラスチックフイルムや紙、不織布等であってもよい。
又、巻込紙片に広告を印刷で表示したり、製造元や販売元等を印刷で表示することは適宜に行なうことができる。
【図面の簡単な説明】
【００２４】
【図１】本発明のロール状連続袋体の実施例であって、端末部を展開した状態の斜視図である。
【図２】このロール状連続袋体を巻込紙片により巻き止めした状態の側面説明図である。
【図３】巻込紙片の実施例を示す斜視図である。
【図４】巻込紙片の実施例を示す斜視図である。
【図５】巻込紙片の実施例を示す斜視図である。
【図６】巻込紙片の実施例を示す斜視図である。
【図７】巻込紙片の製造方法の１例を示す平面図である。
【図８】巻込紙片の実施例を示す斜視図である。
【図９】巻込紙片の実施例を示す斜視図である。
【図１０】従来のロール状連続袋体を示す展開斜視図である。
【符号の説明】
【００２５】
Ａ  ロール状連続袋体
１  帯状連続袋体
１０  袋体
１１  切込破線
１２  袋底溶着部
１ａ  端末部
１ｂ  本体ロール部
２  巻込紙片
２ａ  挟持部
２ｂ  巻付部
２ｃ  接着
２０  切除部
２９  短冊状原料紙片
２９ａ  切断線
【図１】
0004815185.tif 000002
【図２】
0004815185.tif 000003
【図３】
0004815185.tif 000004
【図４】
0004815185.tif 000005
【図５】
0004815185.tif 000006
【図６】
0004815185.tif 000007
【図７】
0004815185.tif 000008
【図８】
0004815185.tif 000009
【図９】
0004815185.tif 000010
【図１０】
0004815185.tif 000011